(57)【要約】【課題】  非伸縮性織糸と滑り止め機能を備えた織糸とを使用して織成された、履用中にほどけを起こしにくい靴ひも及び当該靴ひもを備えた靴を新規に提供することを目的とする。【解決手段】  非伸縮性織糸として機能するポリエステルのマルチフィラメント糸２と、滑り止め機能を果たす織糸として機能するポリウレタンのモノフィラメント裸糸３とを用いて組ひも状に織成されている靴ひも１であって、その両端には紐通し用の剛性部分を形成する端末部材４が取り付けられているものである。上記靴ひも１は、ポリエステルのマルチフィラメント糸２とポリウレタンのモノフィラメント裸糸３とを９対１の割合となる本数配分で纏めることによって多数本の組ひも用編み束５を構成し、これら組ひも用編み束５を組ひも状に編むことによって得たものである。【選択図】  図２
2005052614.tif 000002
【特許請求の範囲】
【請求項１】
非伸縮性織糸を用いて織成された靴ひもであって、履用時に結び目を形成する部分の表面に、滑り止め機能を有する織糸が点在する配置で露呈した状態に織り込まれていることを特徴とする靴ひも。
【請求項２】
滑り止め機能を有する織糸の各露呈部が、凸状に織り出されたことを特徴とする請求項１記載の靴ひも。
【請求項３】
滑り止め機能を有する糸が、合成ゴム若しくは生ゴムの裸糸であることを特徴とする請求項１または２記載の靴ひも。
【請求項４】
裸糸が、ポリウレタンであることを特徴とする請求項３記載の靴ひも。
【請求項５】
請求項１ないし４のいずれかに記載の靴ひもを備えた靴。
【発明の詳細な説明】
【技術分野】
【０００１】  本発明は、非伸縮性織糸と滑り止め機能を備えた織糸とを使用して織成された、履用中にほどけを起こしにくい靴ひも及び当該靴ひもを備えた靴に関する。
【背景技術】
【０００２】  従来、スポーツシューズ、スニーカー、ウォーキングシューズ、ビジネスシューズ、その他の靴における靴ひもは、その殆どが、伸びない非伸縮性織糸だけで織成されたものであり、つま先側の鳩目穴から順次挿し通し、そして履き口すなわち足首に近いところでリボン結び（蝶結び）などにして締めつけ、よって靴を足にフィットさせる要領で使用されていた。【０００３】  しかしながら、上記従来の靴ひもの締め方では、以下のような諸問題点があった。【０００４】  すなわち、靴ひもの結び目が運動中または歩行中の気づかないうちに緩んだりほどけたりしてしまう場合があって、そのたび毎に当該靴ひもを締め直したり、結び直したりしなければならない面倒くささがあった（第１の問題点）。【０００５】  また、靴ひもがほどけたことに気づかずに歩行していたために、ほどけた靴ひもを自分若しくは他人が踏みつけて転倒してしまう危険性が往々にあり、ときには不測の大事故を惹起するに至る等の不都合（第２の問題点）があった。【０００６】  また、スポーツの競技者が競技中に靴ひもがほどけてプレーミスを起こしたり、プレーを中断して順位を下げたりして悔しい思いをする問題（第３の問題点）もあった。【０００７】  また、靴ひもの締め方や挿し通し方に利き腕の癖があったりすると、結ばれた靴ひもの長さがいつの間にか揃わなくなり、結んだ後も片方の靴ひもだけが長くなってしまい、それにより靴ひもを踏みつけて転倒してしまう危険性（第４の問題点）があった。【０００８】  さらに、かがみ込んで両手で靴ひもを結んだり調節したりすることは結構な時間がかかり、健康な者でもかなり面倒な作業と感じるものであり、まして高齢者や手指の不自由な人、体に障害などがある人にとって、靴ひもを結ぶことや締め具合をこまめに調節することはかなりの負担となっていた（第５の問題点）。【０００９】  一方、健康のためにせっかく足にフィットするように設計製作されている靴であるにもかかわらず、上記の理由などから脱ぎ履き動作をしやすくするために靴ひもをゆるめに結んだままにしていたり、スリッパのようにかかとを潰して履いたりすることもあった。このような不適正な靴ひもの緊締を行った履き方をした場合には、足のつま先が靴の先端部につまり気味になったり、足が靴の中でしっかりと固定されずに足の土踏まずと靴のアーチサポートの位置や高さが合わない状態、いわゆる足が靴の中で泳いでしまう状態になる。このような状態を承知で長く履き続けた場合には、靴が足を正しく保護されるどころか、外反母趾、ハンマー指症候群を引き起す等の身体への悪影響を及ぼすことになり兼ねない等の問題があった（第６の問題点）。【００１０】  因みに、脱ぎ履き動作をしやすくするために、ゴム紐を靴ひもとした靴は、従前開示されている（特許文献１参照）が、これはゴムひもの伸縮性を積極的に利用しているものであって、ゴム特有の滑りにくさを利用しているものではない。
【特許文献１】特開平１０−５７１１２号公報
【発明の開示】
【発明が解決しようとする課題】
【００１１】  請求項１に係る靴ひもは、上記現状に鑑み、ゴム等固有の滑りにくさを巧みに利用することで、上記従来の靴ひもが有する諸問題点を解消するようにしたものであって、歩行中にほどけたり、緩んだりした状態にならないように工夫した新規の靴ひもを提供することを目的とする。【００１２】  請求項２に係る靴ひもは、歩行中にほどけたり、緩んだりした状態にならないようにする機能をより高めることを目的とする。【００１３】  請求項３及び４に係る靴ひもは、低コストで簡単且つ容易に実施できるようにすることを目的とする。【００１４】  請求項５に係る靴は、靴ひもが歩行中にほどけたり、緩んだりした状態にならない新規の靴を提供することを目的とする。
【課題を解決するための手段】
【００１５】  上記諸問題点を解消するために、請求項１に係るポリシャーは、伸びない非伸縮性織糸を用いて織成された靴ひもであって、結び目を形成する部分の表面に、滑り止め機能を有する織糸が点在する配置で露呈した状態に織り込まれていることを特徴とする。【００１６】  同じく、請求項２に係る靴ひもは、滑り止め機能を有する織糸の各露呈部が、凸状に織り出されたことを特徴とする。【００１７】  同じく、請求項３に係る靴ひもは、滑り止め機能を有する糸が、合成ゴム若しくは生ゴムの裸糸であることを特徴とする。【００１８】  同じく、請求項４に係る靴ひもは、裸糸が、ポリウレタンであることを特徴とする。【００１９】  同じく、請求項５に係る靴は、上記請求項１ないし４のいずれかに記載の靴ひもを備えたことを特徴とする。【００２０】  すなわち、本発明係る靴ひも及び当該靴ひもを備えた靴は、その使用においてリボン結び（蝶結び）等の結び目が形成されたときには、非伸縮性織糸が靴の足へのフィット感を持続させるために靴ひも全体の伸びを阻止し、また滑り止め機能を有する織糸が結び目の緩み及びほどけを解消するために滑り止め機能を発揮する。【００２１】  また、滑り止め機能を有する織糸の凸状に織り出された各露呈部は上記結び目の緩み及びほどけをより効果的に阻止する。【００２２】  さらに、ポリウレタン等合成ゴム若しくは生ゴムの裸糸は結び目の緩み及びほどけを解消すると共に製造し易くし、低コスト化等を可能にする。
【発明の効果】
【００２３】  請求項１に係るポリシャーは、伸びない非伸縮性織糸を用いて織成された靴ひもであって、結び目を形成する部分の表面に、滑り止め機能を有する織糸が点在する配置で露呈した状態に織り込まれていることを特徴とするので、ゴム等固有の滑りにくさを巧みに利用することで、上記従来の靴ひもが有する諸問題点を悉く解消するようにしたものであって、歩行中にほどけたり、緩んだりした状態にならないように工夫した新規の靴ひもを提供できる。【００２４】  請求項２に係る靴ひもは、滑り止め機能を有する織糸の各露呈部が、凸状に織り出されたことを特徴とするので、歩行中にほどけたり、緩んだりした状態にならないようにする機能を高めることができる。【００２５】  請求項３に係る靴ひもは、滑り止め機能を有する糸が、合成ゴム若しくは生ゴムの裸糸であることを特徴とするので、低コストで簡単且つ容易に実施できる。【００２６】  請求項４に係る靴ひもは、裸糸が、ポリウレタンであることを特徴とするので、低コストで簡単且つ容易に実施できる。【００２７】  請求項５に係る靴は、上記請求項１ないし４のいずれかに記載の靴ひもを備えたことを特徴とするので、靴ひもが歩行中にほどけたり、緩んだりした状態にならない新規の靴を提供できる。
【発明を実施するための最良の形態】
【００２８】  本発明に係る第１実施の形態を図１〜図３に基づいて説明する。【００２９】  図中符号１は本発明の実施の形態に係る靴ひもを示すものである。この実施の形態に係る靴ひも１は、非伸縮性織糸として機能するポリエステルのマルチフィラメント糸２と、滑り止め機能を果たす織糸として機能するポリウレタンのモノフィラメント裸糸３とを用いて組ひも状に織成されているものであって、その両端には紐通し用の剛性部分を形成する端末部材４が取り付けられているものである。【００３０】  上記靴ひも１は、ポリエステルのマルチフィラメント糸２とポリウレタンのモノフィラメント裸糸３とを９対１の割合となる本数配分で纏めることによって多数本の組ひも用編み束５を構成し、これら組ひも用編み束５を組ひも状に編むことによって得たものである。【００３１】  上記した、ポリエステルのマルチフィラメント糸２とポリウレタンのモノフィラメント裸糸３との本数配分は、素材の硬さ、伸び率等特性あるいは靴の種類、組ひもの編み方等によって決まるものであるので、本発明は上記９対１に拘る必要はなく、ポリウレタンのモノフィラメント裸糸３を１本も入れない組ひも用編み束と１本以上入れた組ひも用編み束との組み合わせで靴ひもを編むこともあれば、もう少し本数を多くすることで実施こともあり得る。要するに、実験等を行なって満足の行く本数のポリウレタンのモノフィラメント裸糸３を程よく編みこむことが大事であって、これによって緩み、ほどけを最大限起こし難くすべきである。【００３２】  なお、裸糸３は、ひも本体の外表面に凸状に織り出されていることがより有効である。この凸状織り出し状態は、組ひも用編み束５を構成する前に、ポリウレタンのモノフィラメント裸糸３をポリエステルのマルチフィラメント糸２に予め絡ませて置くことで簡単に実施できる。このようにするとひも本体の外表面に凹凸が小刻みにできて有効である。【００３３】  次に、本発明に係る第２実施の形態を図４に基づいて説明する。【００３４】  この図４に示す第２実施の形態に係る靴６は、上記第１実施の形態に係る靴ひも１を取り付けたものである。【００３５】  このように、上記第１実施の形態に係る靴ひも１を靴本体７に取り付けたときには、ポリウレタンのモノフィラメント裸糸３が鳩目穴８の切縁に圧接して、より緩みにくくし、ほどけにくくなって好都合である。
【産業上の利用可能性】
【００３６】  上記の滑り止め機能を有する織糸は、履用時に詰び目を形成する部分の表面に点在する配置に露呈した状態で織り込むことができる。滑り止め機能を有する織糸の各露呈部は、凸状にならない状態に織り出すことができる。滑り止め機能を有する織糸は、非伸縮性織糸に絡ませない状態で凸状に織り出すことができる。滑り止め機能を有する糸は、マルチフィラメントの裸糸とすることで織り込むことができる。裸糸はポリウレタン以外の合成ゴム若しくは生ゴム製でも実施できる。また組ひも織り方は丸紐の織り方、平紐の織り方でもできる。この場合、補強のために丈夫な中芯を入れることは任意である。
【図面の簡単な説明】
【００３７】
【図１】本発明に係る第１実施の形態の一部を示す正面図である。
【図２】同じく構成を示す説明図である。
【図３】図２Ａ−Ａ線に沿う拡大切端面図である。
【図４】本発明に係る第２実施の形態の一部を示す斜視図である。
【符号の説明】
【００３８】  １  靴ひも
２  ポリエステルのマルチフィラメント糸
３  ポリウレタンのモノフィラメント裸糸
４  端末部材
５  組ひも用編み束
６  靴
７  靴本体
８  鳩目穴
【図１】
2005052614.tif 000003
【図２】
2005052614.tif 000004
【図３】
2005052614.tif 000005
【図４】
2005052614.tif 000006